(57)【特許請求の範囲】
【請求項１】
特定の種類の体組成を示す体組成データの算出に要する第１情報が少なくとも一つ記録された記録媒体を一または複数用いて、一または複数種類の体組成データを算出する体組成計であって、
前記被測定者の身体特性を示す第２情報を設定する情報設定部と、
前記被測定者の生体インピーダンスを測定する測定部と、
前記一または複数の記録媒体の各々から一または複数の前記第１情報を取得する情報取得部と、
前記情報取得部によって取得した一または複数の前記第１情報と、前記第２情報と、前記生体インピーダンスとに基づいて、当該一または複数の前記第１情報の各々に対応する種類の体組成を示す体組成データを算出する演算部と、
を備え、
当該体組成計は、前記第２情報及び前記生体インピーダンスを用いて前記体組成データを算出する複数の演算プログラムを予め記憶する記憶部を含み、
前記複数の演算プログラムの各々は、実行に制限が掛けられており、
前記第１情報は、特定の演算プログラムを指定して前記制限の解除を指示する制限解除キーであり、
前記演算部は、前記第１情報によって前記制限の解除を指示された前記演算プログラムを、前記記憶部から読み出すと共に前記制限を解除し、前記第２情報及び前記生体インピーダンスを用いて、前記読み出した前記演算プログラムを実行することによって、前記体組成データを算出する、
ことを特徴とする体組成計。
【請求項２】
特定の種類の体組成を示す体組成データの算出に要する第１情報が少なくとも一つ記録された記録媒体を一または複数用いて、一または複数種類の体組成データを算出する体組成計であって、
前記被測定者の身体特性を示す第２情報を設定する情報設定部と、
前記被測定者の生体インピーダンスを測定する測定部と、
前記一または複数の記録媒体の各々から一または複数の前記第1情報を取得する情報取得部と、
前記情報取得部によって前記記録媒体から取得された一または複数の前記第１情報を記憶する第１記憶部と、
前記第１情報と、前記第２情報と、前記生体インピーダンスとに基づいて、当該一または複数の前記第１情報の各々に対応する種類の体組成を示す体組成データを算出する演算部と、
前記第１記憶部に記憶されている一又は複数の前記第１情報のうち、少なくともいずれか一つの前記第１情報を前記第１記憶部から読み出して前記演算部に供給する制御部と、
を備え、
当該体組成計は、前記第２情報と前記生体インピーダンスとから前記体組成データを算出する複数の演算プログラムを予め記憶する第２記憶部をさらに備え、
前記複数の演算プログラムの各々は、実行に制限が掛けられており、
前記第１情報は、特定の演算プログラムを指定して前記制限の解除を指示する制限解除キーであり、
前記制御部は、前記制限解除キーを前記演算部に供給し、且つ、前記制限解除キーが指定する前記特定の演算プログラムを前記第２記憶部から読み出して前記演算部に供給し、
前記演算部は、前記制御部によって前記制限解除キー及び前記特定の演算プログラムが供給されると、前記特定の演算プログラムの前記制限を解除し、前記第２情報及び前記生体インピーダンスを用いて、前記読み出した前記演算プログラムを実行することによって、前記体組成データを算出する、
ことを特徴とする体組成計。
【請求項３】
被測定者の体組成を示す体組成データを算出する演算プログラムが、実行に制限が掛けられて複数記憶されている演算プログラム記憶部と、
特定の演算プログラムを指定して当該特定の演算プログラムについて前記制限の解除を指示する制限解除キーである第１情報を、一または複数の記録媒体の各々から、一または複数取得する情報取得部と、
前記被測定者の身体特性を示す第２情報を設定する情報設定部と、
前記被測定者の生体インピーダンスを測定する測定部と、
前記情報取得部によって取得した前記第１情報が指定する前記特定の演算プログラムを、前記演算プログラム記憶部から読み出し、前記制限を解除することを示す識別子を当該演算プログラムに対応づけて前記演算プログラム記憶部に記憶させる制御部と、
前記第２情報及び前記生体インピーダンスを用いて、前記識別子が対応付けられた前記演算プログラムを実行することによって、前記体組成データを算出する演算部と、
を備えることを特徴とする体組成計。
【請求項４】
当該体組成計が前記記録媒体から前記第１情報を取得可能な状態になると、当該第１情報に対応する体組成データの種類を被測定者に報知する報知部を含む、
ことを特徴とする請求項１乃至請求項３のうちいずれか一項に記載の体組成計。
【請求項５】
当該体組成計は、前記記録媒体を通信可能に接続する複数の接続端子を含む、
ことを特徴とする請求項１乃至請求項４のうちいずれか一項に記載の体組成計。
【請求項６】
前記記録媒体は、前記記録媒体を通信可能に接続する複数の接続端子と、前記接続端子に接続された前記記録媒体から前記第１情報を取得して無線または有線によって前記第１情報を送信する情報送信部とを備える通信装置に接続可能であり、
当該体組成計は、前記通信装置によって送信された前記第１情報を受信する情報受信部を含む、
ことを特徴とする請求項１乃至請求項５のうちいずれか一項に記載の体組成計。
【請求項７】
前記記録媒体は、無線又は有線で通信する通信端末装置に設けられており、
前記情報取得部は、前記通信端末装置から前記第１情報を受信する、
ことを特徴とする請求項１乃至請求項６のうちいずれか一項に記載の体組成計。
【請求項８】
前記被測定者の活動量を示す活動量データを生成する活動量計に、前記体組成データを送信する体組成データ送信部と、
前記活動量計によって生成された前記活動量データを受信する活動量データ受信部と、
前記体組成データと前記活動量データとを関連付けて記憶するデータ管理部と、
をさらに備える、
ことを特徴とする請求項１乃至請求項７のうちいずれか一項に記載の体組成計。
【請求項９】
被測定者の体組成を示す体組成データを算出する体組成計であって、
前記被測定者の身体特性を示す第２情報を設定する情報設定部と、
前記被測定者の生体インピーダンスを測定する測定部と、
前記身体特性情報と、前記生体インピーダンスとに基づいて、特定の種類の前記体組成データを算出する為の演算プログラムであって、実行に制限が掛けられ、且つ、前記制限を解除する制限解除キーによって前記制限が解除される施解錠処理が組み込まれた演算プログラムを複数記憶する記憶部と、
一または複数の前記演算プログラムに係る前記制限解除キーが記録された記録媒体から、前記制限解除キーを取得する制限解除キー取得部と、
前記制限解除キーによって前記制限が解除された前記演算プログラムを実行することによって、前記身体特性情報と前記生体インピーダンスとに基づいて、前記体組成データを算出する演算部と、
を備えることを特徴とする体組成計。
【請求項１０】
請求項１乃至請求項９のうち何れか一項に記載の体組成計と、
体組成データの算出に要する情報である第１情報が記録された記録媒体と、
を備えたことを特徴とする体組成計測システム。
【発明の詳細な説明】
【技術分野】
【０００１】
本発明は、生体の体組成を計測する体組成計及び体組成計側システムに関する。
【背景技術】
【０００２】
従来より、生体電気インピーダンス測定法（Bioelectrical Impedance Analysis：BIA）に基づいて、被測定者の体組成を示す体組成データの測定機能を備える体組成計が知られている。現在、体組成計によって測定可能な体組成データとしては、例えば、体脂肪率、除脂肪量、内臓脂肪面積、基礎代謝量、骨量、及び基礎代謝量等の種々の体組成データを挙げることができる。
このような多数種類の体組成データの測定機能を備える体組成計では、測定結果として多数種類の体組成データが算出される。このため、ユーザは、多数種類の中から所望種類の体組成データを選択して表示させる操作に煩わしさを感じることがある。
そのような煩わしさを解消するために、例えば特許文献１に開示されている生体測定装置では、所望の体組成データを簡易な操作で表示させるためのスイッチとして、１種類の体組成データに対応して１つのキースイッチが設けられている。
【先行技術文献】
【特許文献】
【０００３】
【特許文献１】特開２００７-１１７５２５号公報
【発明の概要】
【発明が解決しようとする課題】
【０００４】
ところで、ユーザが実際に測定を所望する体組成データの種類は、各ユーザによって異なる。従って、各ユーザが所望する測定機能を全て体組成計に備えさせるためには、体組成計に非常に多くの測定機能を備えさせなければならない。そのように構成した場合、たとえ特許文献１に開示された技術を適用したとしても、上述したキースイッチの個数が非常に多くなってしまうため、操作上の煩雑さは免れ得ない。特に、ユーザが所望しない機能についてのキースイッチが多く備えられていると、ユーザは、そのこと自体に煩わしさを感じがちである。
【０００５】
一方、代表的な（一般的な）種類の体組成データの測定機能のみを体組成計に備えさせたとしても、それら測定機能の中に、各々のユーザが実際に所望する測定機能が全て含まれているとは限らない。上述したような事情から、現在、各々のユーザのニーズに応じた測定機能を備える体組成計の実現が望まれている。
本発明は、前記の事情に鑑みて為されたものであり、各ユーザのニーズに応じて測定機能をカスタマイズ可能な体組成計及び体組成計測システムを実現することを解決課題のひとつとする。
【課題を解決するための手段】
【０００６】
上記課題を解決するために、本発明の第１の態様による体組成計は、特定の種類の体組成を示す体組成データの算出に要する第１情報が少なくとも一つ記録された記録媒体を一または複数用いて、一または複数種類の体組成データを算出する体組成計であって、前記被測定者の身体特性を示す第２情報を設定する情報設定部と、前記被測定者の生体インピーダンスを測定する測定部と、前記一または複数の記録媒体の各々から一または複数の前記第１情報を取得する情報取得部と、前記情報取得部によって前記記録媒体から取得された一または複数の前記第１情報を記憶する第１記憶部と、前記第１情報と、前記第２情報と、前記生体インピーダンスとに基づいて、当該一または複数の前記第１情報の各々に対応する種類の体組成を示す体組成データを算出する演算部と、前記第１記憶部に記憶されている一又は複数の前記第１情報のうち、少なくともいずれか一つの前記第１情報を前記第１記憶部から読み出して前記演算部に供給する制御部と、を備え、前記第１情報は、前記第２情報及び前記生体インピーダンスを用いて前記体組成データを算出する処理を前記演算部に実行させ、前記記録媒体から取得されて前記第１記憶部に記憶されると当該記録媒体から当該演算プログラムを消去させる処理を前記制御部に実行させる演算プログラムであり、前記制御部は、前記演算プログラムが前記情報取得部によって取得されて前記第１記憶部に記憶されると、前記記録媒体から前記演算プログラムを消去し、前記演算部は、前記制御部によって前記演算プログラムが供給されると、当該演算プログラムを実行することによって、前記第２情報及び前記生体インピーダンスを用いて前記体組成データを算出する、ことを特徴とする。
【０００７】
このように構成することで、ユーザ所望の体組成データの測定機能のみを備える体組成計が実現する。すなわち、ユーザは、所望の体組成データの測定機能を追加する為の記録媒体を購入し、それを最小限の測定機能のみを備えたプラットフォームたる体組成計に接続するだけで、自身にとって必要最小限の測定機能のみを備えた体組成計が実現する。
また、体組成計の購入後に、新たに測定機能を追加する必要が生じた場合に、容易に測定機能の拡張をすることができる。さらに、例えば体重測定機能等の最小限の測定機能しか備えていないプラットフォームとして体組成計を構成できる為、シンプル且つ意匠性に富んだ体組成計を実現することができる。
【０００８】
このように構成することで、体組成計の販売時点では想定されていなかった種類の体組成データや、技術の進歩等によって新たに測定可能になった体組成データについての測定機能を、既にユーザが購入済みの体組成計に対して容易に追加することが可能となる。
【０００９】
本発明の第２の態様による体組成計は、特定の種類の体組成を示す体組成データの算出に要する第１情報が少なくとも一つ記録された記録媒体を一または複数用いて、一または複数種類の体組成データを算出する体組成計であって、前記被測定者の身体特性を示す第２情報を設定する情報設定部と、前記被測定者の生体インピーダンスを測定する測定部と、前記一または複数の記録媒体の各々から一または複数の前記第１情報を取得する情報取得部と、前記情報取得部によって取得した一または複数の前記第１情報と、前記第２情報と、前記生体インピーダンスとに基づいて、当該一または複数の前記第１情報の各々に対応する種類の体組成を示す体組成データを算出する演算部と、を備え、当該体組成計は、前記第２情報及び前記生体インピーダンスを用いて前記体組成データを算出する複数の演算プログラムを予め記憶する記憶部を含み、前記複数の演算プログラムの各々は、実行に制限が掛けられており、前記第１情報は、特定の演算プログラムを指定して前記制限の解除を指示する制限解除キーであり、前記演算部は、前記第１情報によって前記制限の解除を指示された前記演算プログラムを、前記記憶部から読み出すと共に前記制限を解除し、前記第２情報及び前記生体インピーダンスを用いて、前記読み出した前記演算プログラムを実行することによって、前記体組成データを算出することを特徴とする。
【００１０】
このように構成することで、記録媒体には制限解除キーが記録されるので、演算プログラムを記録する場合と比較して記録媒体の記憶容量を削減することができる。また、記録媒体から体組成計へは制限解除キーが送信されるが、演算プログラムは送信されない。仮に、演算プログラムが傍受されると、演算プログラムが解析されたり、あるいは演算プログラムを不正な装置に転用されたりするおそれがあるが、本発明の第２の態様では制限解除キーが送信されるだけなので、演算プログラムを送信することに起因して生じ得る当該演算プログラムの不正入手等を防止することができる。
【００１１】
本発明の第３の態様による体組成計は、特定の種類の体組成を示す体組成データの算出に要する第１情報が少なくとも一つ記録された記録媒体を一または複数用いて、一または複数種類の体組成データを算出する体組成計であって、前記被測定者の身体特性を示す第２情報を設定する情報設定部と、前記被測定者の生体インピーダンスを測定する測定部と、前記一または複数の記録媒体の各々から一または複数の前記第1情報を取得する情報取得部と、前記情報取得部によって前記記録媒体から取得された一または複数の前記第１情報を記憶する第１記憶部と、前記第１情報と、前記第２情報と、前記生体インピーダンスとに基づいて、当該一または複数の前記第１情報の各々に対応する種類の体組成を示す体組成データを算出する演算部と、前記第１記憶部に記憶されている一又は複数の前記第１情報のうち、少なくともいずれか一つの前記第１情報を前記第１記憶部から読み出して前記演算部に供給する制御部と、を備え、前記第１情報は、前記情報取得部によって取得される回数が特定回数以下に制限されており、前記第２情報及び前記生体インピーダンスを用いて前記体組成データを算出する処理を前記演算部に実行させる演算プログラムであり、前記制御部は、前記情報取得部によって取得された前記演算プログラムを前記第１記憶部に記憶させ、前記演算部は、前記制御部によって前記演算プログラムが供給されると、当該演算プログラムを実行することによって、前記第２情報及び前記生体インピーダンスを用いて前記体組成データを算出する、ことを特徴とする。
【００１２】
このように構成することで、ユーザ所望の体組成データの測定機能のみを備える体組成計が実現する。すなわち、ユーザは、所望の体組成データの測定機能を追加する為の記録媒体を購入し、それを最小限の測定機能のみを備えたプラットフォームたる体組成計に接続するだけで、自身にとって必要最小限の測定機能のみを備えた体組成計が実現する。
また、体組成計の購入後に、新たに測定機能を追加する必要が生じた場合に、容易に測定機能の拡張をすることができる。さらに、例えば体重測定機能等の最小限の測定機能しか備えていないプラットフォームとして体組成計を構成できる為、シンプル且つ意匠性に富んだ体組成計を実現することができる。
さらに、体組成データの測定のたびに記録媒体を当該体組成計に接続する必要がない為、実際の測定時におけるユーザの手間を省くことができる。
【００１３】
このように構成することで、体組成計の販売時点では想定されていなかった種類の体組成データや、技術の進歩等によって新たに測定可能になった体組成データについての測定機能を、既にユーザが購入済みの体組成計に対して容易に追加することが可能となる。
【００１４】
本発明の第４の態様による体組成計は、特定の種類の体組成を示す体組成データの算出に要する第１情報が少なくとも一つ記録された記録媒体を一または複数用いて、一または複数種類の体組成データを算出する体組成計であって、前記被測定者の身体特性を示す第２情報を設定する情報設定部と、前記被測定者の生体インピーダンスを測定する測定部と、前記一または複数の記録媒体の各々から一または複数の前記第1情報を取得する情報取得部と、前記情報取得部によって前記記録媒体から取得された一または複数の前記第１情報を記憶する第１記憶部と、前記第１情報と、前記第２情報と、前記生体インピーダンスとに基づいて、当該一または複数の前記第１情報の各々に対応する種類の体組成を示す体組成データを算出する演算部と、前記第１記憶部に記憶されている一又は複数の前記第１情報のうち、少なくともいずれか一つの前記第１情報を前記第１記憶部から読み出して前記演算部に供給する制御部と、を備え、当該体組成計は、前記第２情報と前記生体インピーダンスとから前記体組成データを算出する複数の演算プログラムを予め記憶する第２記憶部をさらに備え、前記複数の演算プログラムの各々は、実行に制限が掛けられており、前記第１情報は、特定の演算プログラムを指定して前記制限の解除を指示する制限解除キーであり、前記制御部は、前記制限解除キーを前記演算部に供給し、且つ、前記制限解除キーが指定する前記特定の演算プログラムを前記第２記憶部から読み出して前記演算部に供給し、前記演算部は、前記制御部によって前記制限解除キー及び前記特定の演算プログラムが供給されると、前記特定の演算プログラムの前記制限を解除し、前記第２情報及び前記生体インピーダンスを用いて、前記読み出した前記演算プログラムを実行することによって、前記体組成データを算出する、ことを特徴とする。
【００１５】
このように構成することで、記録媒体には制限解除キーが記録されるので、演算プログラムを記録する場合と比較して記録媒体の記憶容量を削減することができる。また、記録媒体から体組成計へは制限解除キーが送信されるが、演算プログラムは送信されない。仮に演算プログラムを送信するとした場合、その送信の際に当該演算プログラムが傍受されると、当該演算プログラムが解析されたり、あるいは演算プログラムを不正な装置に転用されたりするおそれがある。しかしながら、本発明の第４の態様では制限解除キーが送信されるだけなので、演算プログラムを送信することに起因して生じ得る当該演算プログラムの不正入手等を防止することができる。
【００１６】
本発明の第５の態様による体組成計は、被測定者の体組成を示す体組成データを算出する演算プログラムが、実行に制限が掛けられて複数記憶されている演算プログラム記憶部と、特定の演算プログラムを指定して当該特定の演算プログラムについて前記制限の解除を指示する制限解除キーである第１情報を、一または複数の記録媒体の各々から、一または複数取得する情報取得部と、前記被測定者の身体特性を示す第２情報を設定する情報設定部と、前記被測定者の生体インピーダンスを測定する測定部と、前記情報取得部によって取得した前記第１情報が指定する前記特定の演算プログラムを、前記演算プログラム記憶部から読み出し、前記制限を解除することを示す識別子を当該演算プログラムに対応づけて前記演算プログラム記憶部に記憶させる制御部と、前記第２情報及び前記生体インピーダンスを用いて、前記識別子が対応付けられた前記演算プログラムを実行することによって、前記体組成データを算出する演算部と、を備えることを特徴とする。
【００１７】
このように構成することで、ユーザ所望の体組成データの測定機能のみを備える体組成計が実現する。すなわち、ユーザは、所望の体組成データの測定機能を追加する為の記録媒体を購入し、それを最小限の測定機能のみを備えたプラットフォームたる体組成計に接続するだけで、自身にとって必要最小限の測定機能のみを備えた体組成計が実現する。また、体組成計の購入後に、新たに測定機能を追加する必要が生じた場合に、容易に測定機能の拡張をすることができる。さらに、例えば体重測定機能等の最小限の測定機能しか備えていないプラットフォームとして体組成計を構成できる為、シンプル且つ意匠性に富んだ体組成計を実現することができる。
また、体組成データの測定のたびに記録媒体を当該体組成計に接続する必要がない為、実際の測定時におけるユーザの手間を省くことができる。さらに、記録媒体から体組成計へは制限解除キーが送信されるが、演算プログラムは送信されない。仮に、演算プログラムが傍受されると、演算プログラムが解析されたり、あるいは演算プログラムを不正な装置に転用されたりするおそれがあるが、本発明の第５の態様では制限解除キーが送信されるだけなので、演算プログラムを送信することに起因して生じ得る当該演算プログラムの不正入手等を防止することができる。
【００１８】
本発明の第６の態様による体組成計は、第１の態様乃至第５の態様のいずれか一態様による体組成計であって、当該体組成計が前記記録媒体から前記第１情報を取得可能な状態になると、当該第１情報に対応する体組成データの種類を被測定者に報知する報知部を含むことを特徴とする。
このように構成することで、第１の態様乃至第５の態様のいずれか一態様による体組成計と同様の効果を奏する上に、被測定者は現時点で測定可能な体組成データの種類を容易に把握することができる為、所望の種類の体組成データを測定する為の諸作業が更に容易になる。
【００１９】
本発明の第７の態様による体組成計は、第１の態様乃至第６の態様のいずれか一態様による体組成計であって、当該体組成計は、前記記録媒体を通信可能に接続する複数の接続端子を含むことを特徴とする。
このように構成することで、第１の態様乃至第６の態様のいずれか一態様による体組成計と同様の効果を奏する上に、体組成計に対して直接的に記録媒体を接続することが可能となる。すなわち、第７の態様によれば、体組成計と記録媒体とのみを構成要件とする簡略な体組成計測システムが実現する。
【００２０】
本発明の第８の態様による体組成計は、第１の態様乃至第７の態様のいずれか一態様による体組成計であって、前記記録媒体は、前記記録媒体を通信可能に接続する複数の接続端子と、前記接続端子に接続された前記記録媒体から前記第１情報を取得して無線または有線によって前記第１情報を送信する情報送信部とを備える通信装置に接続可能であり、当該体組成計は、前記通信装置によって送信された前記第１情報を受信する情報受信部を含む、ことを特徴とする。
このように構成することで、第１の態様乃至第７の態様のいずれか一態様による体組成計と同様の効果を奏する上に、体組成計に対して記録媒体を接続させる必要がなくなる為、体組成計の構成をより簡略化することができる。
【００２１】
本発明の第９の態様による体組成計は、第１の態様乃至第８の態様のいずれか一態様による体組成計であって、前記記録媒体は、無線又は有線で通信する通信端末装置に設けられており、前記情報取得部は、前記通信端末装置から前記第１情報を受信する、ことを特徴とする。
このように構成することで、第１の態様乃至第８の態様のいずれか一態様による体組成計と同様の効果を奏する上に、当該体組成計をスマートフォンと称される携帯端末装置と連携させることができ、演算プログラムまたは制限解除キーをスマートフォン経由で取得することが可能となる。
【００２２】
本発明の第１０の態様による体組成計は、第１の態様乃至第９の態様のいずれか一態様による体組成計であって、前記被測定者の活動量を示す活動量データを生成する活動量計に、前記体組成データを送信する体組成データ送信部と、前記活動量計によって生成された前記活動量データを受信する活動量データ受信部と、前記体組成データと前記活動量データとを関連付けて記憶するデータ管理部と、をさらに備えることを特徴とする。
このように構成することで、第１の態様乃至第９の態様のいずれか一態様による体組成計と同様の効果を奏する上に、次のような効果を奏する体組成計を提供することができる。すなわち、第１０の態様によれば、体重データ及び体組成データと、活動量計によって生成された活動量データとを関連付けて管理することが可能となる。
従って、被測定者は、体重データと体組成データと活動量データとが時系列的に変化していく様を容易に把握することができ、各々のデータ同士の相関関係を容易に認識することができる。さらに、活動量計によって算出される活動量データには、当該体組成計によって算出された最新の体組成データが反映される為、当該活動量データの精度も向上する。
【００２３】
本発明の第１１の態様による体組成計は、被測定者の体組成を示す体組成データを算出する体組成計であって、前記被測定者の身体特性を示す身体特性情報を設定する情報設定部と、前記被測定者の生体インピーダンスを測定する測定部と、前記身体特性情報と、前記生体インピーダンスとに基づいて、特定の種類の前記体組成データを算出する為の演算プログラムであって、実行に制限が掛けられ、且つ、前記制限を解除する制限解除キーによって前記制限が解除される施解錠処理が組み込まれた演算プログラムを複数記憶する記憶部と、一または複数の前記演算プログラムに係る前記制限解除キーが記録された記録媒体から、前記制限解除キーを取得する制限解除キー取得部と、前記制限解除キーによって前記制限が解除された前記演算プログラムを実行することによって、前記身体特性情報と前記生体インピーダンスとに基づいて、前記体組成データを算出する演算部と、を備えることを特徴とする。
【００２４】
このように構成することで、ユーザは、所望の体組成データの測定機能を実行可能とする制限解除キーが記録された記録媒体を選択して購入し、これを体組成計に接続することで、ユーザが必要とする機能を備える体組成計を実現することができる。記録媒体には制限解除キーが記録されるので、演算プログラムを記録する場合と比較して記録媒体の記憶容量を削減することができる。また、記録媒体から体組成計へは制限解除キーが送信されるが、演算プログラムは送信されない。仮に、演算プログラムが傍受されると、演算プログラムが解析されたり、あるいは演算プログラムを不正な装置に転用されたりするおそれがあるが、本発明の第１１の態様では制限解除キーが送信されるだけなので、演算プログラムの不正使用に対するセキュリティを向上させることができる。
【００２５】
本発明の第１２の態様による体組成計は、特定の種類の体組成を示す体組成データの算出に要する第１情報が少なくとも一つ記録された記録媒体を一または複数用いて、一または複数種類の体組成データを算出する体組成計であって、前記記録媒体を接続するインターフェースと、前記被測定者の身体特性を示す第２情報を設定する情報設定部と、前記被測定者の生体インピーダンスを測定する測定部と、前記インターフェースに前記記録媒体が接続されると、前記一または複数の記録媒体の各々から一または複数の前記第１情報を取得する情報取得部と、前記一または複数の前記第１情報と、前記第２情報と、前記生体インピーダンスとに基づいて、当該一または複数の前記第１情報の各々に対応する種類の体組成を示す体組成データを算出する演算部と、前記情報取得部によって取得された前記一または複数の前記第１情報を、前記インターフェースに前記記録媒体が接続された状態において、前記演算部に供給する制御部と、を備え、前記第１情報は、前記第２情報及び前記生体インピーダンスを用いて前記体組成データを算出する演算プログラムである、ことを特徴とする。
本発明の第１３の態様による体組成計測システムは、第１の態様乃至第１２の態様のうち何れか一態様に記載の体組成計と、体組成データの算出に要する情報である第１情報が記録された記録媒体と、を備えたことを特徴とする。
このように構成することで、ユーザ所望の体組成データの測定機能のみを備えさせた体組成計測システムを提供することができる。すなわち、ユーザは、所望の体組成データの測定機能を追加する為の記録媒体を購入し、それをプラットフォームたる体組成計に接続するだけで、自身にとって必要最小限の測定機能のみを備えた体組成計測システムが実現する。また、体組成計の購入後に、新たに測定機能を追加する必要が生じた場合に、容易に測定機能の拡張をすることができる。さらに、測定機能を追加する前の体組成計は、例えば体重測定機能等の最小限の測定機能しか備えていないプラットフォームである。従って、シンプル且つ意匠性に富んだプラットフォームとして体組成計を構成することができる。
【図面の簡単な説明】
【００２６】
【図１】本発明の第１実施形態に係る体組成計の外観構成を示す斜視図。
【図２】本発明の第１実施形態に係る体組成計のシステム構成例を示すブロック図。
【図３】本発明の第１実施形態に係る体組成計による体組成データの測定処理のフローチャートを示す図。
【図４】本発明の第２実施形態に係る体組成計による体組成データの測定処理のフローチャートを示す図。
【図５】本発明の第３実施形態に係る体組成計に対して機能追加装置に記録された情報を送信する為の情報送信装置の構成例を示す図。
【図６】本発明の第３実施形態に係る体組成計に対して機能追加装置に記録された情報を送信する為の情報送信装置のシステム構成例を示すブロック図。
【発明を実施するための形態】
【００２７】
以下、この発明の好適な実施の形態を、添付図面を参照して詳細に説明する。ただし、各図において、各部の寸法及び縮尺は、実際のものと適宜に異ならせている。また、以下に記す実施形態は、本発明の好適な具体例であるから、技術的に好ましい種々の限定が付されているが、本発明の範囲は、以下の説明において特に本発明を限定する旨の記載がない限り、それらの形態に限られるものではない。
【００２８】
［第１実施形態］
図１は、本発明の第１実施形態に係る体組成計測システム１及び体組成計１０の外観構成を示す斜視図である。体組成計測システム１は、体重測定機能を備えた体組成計１０と、体組成計１０に対して種々の体組成データに係る測定機能を追加する為の機能追加装置３０１と、を備える。
同図に示すように体組成計１０上面には、測定時に被測定者（不図示）が載る載置部１０２が設けられている。載置部１０２は、通電用電極１０４ａ，１０４ｂと、計測用電極１０４ｃ，１０４ｄと、状態表示部１５１と、機能表示部１６１と、表示部２０２と、を備える。さらに、当該体組成計１のうち図中上側の側面には、状態表示部１５１に対応する位置に、機能追加装置３０１を接続する為のインターフェース（図１では不図示）が設けられている。
【００２９】
通電用電極１０４ａ，１０４ｂ及び計測用電極１０４ｃ，１０４ｄは、被測定者の両足間の生体インピーダンスを計測する為の電極である。通電用電極１０４ａ及び計測用電極１０４ｃは、被測定者の左足が載置される電極である。通電用電極１０４ｂ及び計測用電極１０４ｄは、被測定者の右足が載置される電極である。
状態表示部１５１は、機能追加装置３０１が当該体組成計１０に接続されると、点灯してその旨を被測定者に報知する報知部材である。具体的には、状態表示部１５１は例えばＬＥＤ（Light Emitting Diode）等の照明部材である。そして、当該体組成計１０に機能追加装置３０１が接続されると、当該機能追加装置３０１が接続されたインターフェース（図１では不図示）に対応する位置に設けられた状態表示部１５１が点灯する。ユーザは、状態表示部１５１の点灯／消灯を視認することで、当該体組成計１０に対して機能追加装置３０１が通信可能に接続されたか否かを容易に知ることができる。
【００３０】
機能表示部１６１は、当該体組成計１０に追加可能な機能と、現時点で実際に追加されている機能とをユーザに報知する為の報知部材である。具体的には、機能表示部１６１は例えばＬＥＤ等の照明部材であり、本例では各々の機能表示部１６１上には図１に示すように番号が記されている。当該体組成計１０に機能追加装置３０１が接続されると、当該機能追加装置３０１によって追加される測定機能に対応する機能表示部１６１が点灯する。すなわち、機能表示部１６１は、当該体組成計１０が前記記録媒体（本例では機能追加装置３０１）から前記第１情報（本例では演算プログラム）を取得可能な状態になると、当該第１情報に対応する体組成データの種類を被測定者に報知する報知部として機能する。
【００３１】
各々の機能表示部１６１に記されている「１」乃至「９」の番号は、それぞれ特定の機能に対応付けられた番号である。本例では、「１」は「体脂肪率測定」、「２」は「除脂肪量測定」、「３」は「基礎代謝量測定」を示している。その他の番号には、例えば「基礎代謝量」、「骨量」といった身体組成データを対応付けてもよいし、例えば「内臓脂肪レベル」、「体型レベル」、「代謝年齢」といった生体指標データを対応付けてもよい。
このように構成することで、ユーザは、機能表示部１６１を視認するだけで当該体組成計１０に追加可能な機能と、現時点で実際に追加されている機能とを容易に知ることができる。
【００３２】
なお、図示の便宜上、機能表示部１６１と各機能との対応付けの為に、機能表示部１６１上に番号を記しているが、番号を記す代わりに、各々の機能表示部１６１毎に照明光の色を異ならせ、それら照明光の色と各機能とを対応付けてもよい。このように構成した場合、ユーザは、点灯している機能表示部１６１の色を視認するだけで、現時点で実際に追加されている機能を容易に知ることができる。
さらに、機能追加装置３０１の外装についても、各機能に対応付けられた照明光の色に相当する色を付すことで、機能追加装置３０１の識別性が向上する。これにより、ユーザが例えば店舗等において機能追加装置３０１を購入する際に、容易且つ迅速に所望の測定機能に該当する機能追加装置３０１を選別することが可能となる。
【００３３】
機能追加装置３０１は、体組成計１０に測定機能を追加する為の装置である。本実施形態においては、機能追加装置３０１は、特定の体組成データを算出する為の演算プログラムが記録された記録媒体（本例ではＵＳＢメモリメディア）である。図１に示すように、本例では機能追加装置３０１−１と機能追加装置３０１−２と機能追加装置３０１−３とがインターフェース（図１においては不図示）を介して体組成計１０に接続されている。
換言すれば、体組成計１０は、体組成データの算出に要する情報である第１情報（本例では演算プログラム）が記録された記録媒体（本例では機能追加装置３０１）と通信可能に構成され、被測定者の体組成データを算出する体組成計である。なお、各機能追加装置３０１−１，３０１−２，３０１−３，・・・に共通の事項を説明する際には、それら機能追加装置３０１−１，３０１−２，３０１−３，・・・を機能追加装置３０１と総称する。
【００３４】
機能追加装置３０１−１は、「体脂肪率」を算出する演算プログラムが記録された記録媒体であり、体脂肪率測定機能を体組成計１０に追加する為の機能追加装置である。機能追加装置３０１−２は、「除脂肪量」を算出する演算プログラムが記録された記録媒体であり、除脂肪量測定機能を体組成計１０に追加する為の機能追加装置である。機能追加装置３０１−３は、「基礎代謝量」を算出する演算プログラムが記録された記録媒体であり、基礎代謝量測定機能を体組成計１０に追加する為の機能追加装置である。なお、各機能追加装置３０１−１乃至３０１−３には、それぞれ複数の演算プログラムが記録されていてもよい。
さらに、各機能追加装置３０１には、演算プログラムと共に、当該演算プログラムによって測定可能となる「体組成データの種類を示す情報」も、当該演算プログラムと対応付けられて記録されている。
表示部２０２は、例えばＬＣＤ(Liquid Crystal Display)等の表示部材である。この表示部２０２には、体重や各種体組成データの計測結果等が表示される。
【００３５】
以下、本発明の第１実施形態に係る体組成計１０のシステム構成について詳細に説明する。図２は、本発明の第１実施形態に係る体組成計１０のシステム構成の一例を示すブロック図である。同図に示すように、体組成計１０は、ＣＰＵ１２６と、電極部１０４と、高周波定電流回路１０８と、電圧測定回路１１０と、重量センサ部１１２と、増幅回路１１４と、切替部１１６と、Ａ／Ｄ変換回路１１８と、操作部１２０と、記憶部１２２と、状態表示部１５１と、機能表示部１６１と、表示部２０２と、インターフェース１９１と、を備える。
【００３６】
ＣＰＵ（Central Processing Unit）１２６は、体組成計１０の各部を統括的に制御する制御部であり、後述する種々の処理を実行する。ＣＰＵ１２６は、記憶部１２２に格納された各種プログラムを読み出し、それらプログラムの各命令コードを実行する。これにより、当該体組成計１０の各種機能が実現する。また、ＣＰＵ１２６は、機能追加装置３０１に記録された演算プログラムを実行することによって体組成データを算出する。
高周波定電流回路１０８は、通電用電極１０４ａ，１０４ｂに高周波の微弱な定電流を印加する為の回路である。通電用電極１０４ａ及び計測用電極１０４ｃに被測定者の左足が載置され、通電用電極１０４ｂ及び計測用電極１０４ｄに被測定者の右足が載置された状態で、高周波定電流回路１０８は、通電用電極１０４ａ，１０４ｂに高周波の微弱な定電流を印加する。この定電流が、それら通電用電極１０４ａ，１０４ｂを介して被測定者の足裏に印加される。
【００３７】
電圧測定回路１１０は、計測用電極１０４ｃ，１０４ｄに生じる電位差を計測する。すなわち、高周波定電流回路１０８によって通電用電極１０４ａ，１０４ｂを介して被測定者の足裏に高周波の微弱な定電流が印加された状態で、電圧測定回路１１０は、計測用電極１０４ｃ，１０４ｄを介して電位差を測定する。この測定結果である電位差を示すデータは、Ａ／Ｄ変換回路１１８によってデジタルデータに変換され、生体インピーダンスＺとしてＣＰＵ１２６に供給される。
【００３８】
重量センサ部１１２は、被測定者の体重を計測する。この重量センサ部１１２は、被測定者が載置部１０２上に載ったときに、その重量である被測定者の体重を示す信号を出力する。増幅回路１１４は、重量センサ部１１２から出力された信号を増幅する。具体的には、重量センサ部１１２は、起歪体と歪ゲージとを備え、起歪体の歪による電圧の変化を測定して出力するロードセルを含む。この重量センサ部１１２から出力された信号は、増幅回路１１４によって増幅された後、Ａ／Ｄ変換回路１１８によってデジタル信号に変換された後に、体重データＷとしてＣＰＵ１２６に供給される。
【００３９】
切替部１１６は、ＣＰＵ１２６からの制御信号に応じて、Ａ／Ｄ変換回路１１８に接続する回路を、電圧測定回路１１０及び増幅回路１１４のうちいずれか一方に切り替える。
Ａ／Ｄ変換回路１１８は、電圧測定回路１１０や増幅回路１１４から出力されたアナログ信号をデジタル信号に変換する。
操作部１２０は、当該体組成計１０を操作する為の部材である。
記憶部１２２は、ＲＡＭ（Random Access Memory）１２２ａと、ＲＯＭ（Read Only Memory）１２２ｂと、書き換え可能メモリ１２２ｃとを備える。ＲＯＭ１２２ｂは、不揮発性のメモリであり、ＣＰＵ１２６に各種処理を実行させる為の各種プログラムと、体重を算出する為の演算式とが記憶されている。
【００４０】
インターフェース１９１は、機能追加装置３０１を当該体組成計１０に接続する為のインターフェースである。本例のように、機能追加装置３０１をＵＳＢメモリメディアとして構成している場合には、インターフェース１９１をＵＳＢインターフェースとして構成する。図２に示す例では、インターフェース１９１を介して、機能追加装置３０１−１，３０１−２，３０１−３が当該体組成計１０に対して通信可能に接続されている。すなわち、インターフェース１９１は、記録媒体（本例では機能追加装置３０１）を通信可能に接続する複数の接続端子として機能する。
【００４１】
以下、本発明の第１実施形態に係る体組成計１０による体組成データの測定処理の一例について説明する。図３は、本発明の第１実施形態に係る体組成計１０による体組成データの測定処理のフローチャートを示す図である。
まず、被測定者による操作部１２０の操作で、当該体組成計１０の電源が投入されると、ＣＰＵ１２６は当該体組成計１０を起動させ、初期画面を表示部２０２に表示させる。初期画面とは、例えばモード設定の操作画面等である。ここで、被測定者による操作部１２０の操作で、「体組成計測モード」が選択されて決定されると、ＣＰＵ１２６は当該体組成計１０を「体組成計測モード」に設定する。「体組成計測モード」とは、被測定者の体組成データを測定するモードである。
【００４２】
体組成計１０が体組成計測モードに設定されると、ＣＰＵ１２６は、まず被測定者の生体に係る「身体特性情報」を設定する（ステップＳ１）。「身体特性情報」は、被測定者による操作部１２０の操作で当該体組成計１０に入力される被測定者の身体特性を示す情報であり、例えば身長、体重、年齢、及び性別等の情報である。身体特性情報は、被測定者によって入力されると、当該被測定者に係る識別子と対応付けられて記憶部１２２の書き換え可能メモリ１２２ｃに記憶される。ステップＳ１において、ＣＰＵ１２６は、記憶部１２２の書き換え可能メモリ１２２ｃから、当該被測定者に係る身体特性情報を読み出し、当該体組成測定処理における身体特性情報として設定する。すなわち、ＣＰＵ１２６は、被測定者の身体特性を示す第２情報を設定する情報設定部として機能する。
【００４３】
続いて、ＣＰＵ１２６は、インターフェース１９１に接続されている機能追加装置３０１から、当該機能追加装置３０１によって演算可能となる「体組成データの種類を示す情報」を読み出し、当該情報が示す「体組成データの種類」をユーザに提示する（ステップＳ２）。具体的には、ＣＰＵ１２６は、インターフェース１９１に接続されている機能追加装置３０１によって演算可能となる体組成データに対応する機能表示部１６１を点灯させる。ユーザは機能表示部１６１の点灯状態を視認するだけで、当該体組成計１０によって測定可能な体組成データの種類を容易に知ることができる。
【００４４】
図１及び図２に示す例では、「体脂肪率」を算出する演算プログラムが記録された機能追加装置３０１−１、「除脂肪量」を算出する演算プログラムが記録された機能追加装置３０１−２、及び「基礎代謝量」を算出する演算プログラムが記録された機能追加装置３０１−３がインターフェース１９１に接続されている。従って、それらインターフェースに対応する状態表示部１５１が点灯すると共に、体脂肪率測定に対応付けられた「１」が記された機能表示部１６１、除脂肪量測定に対応付けられた「２」が記された機能表示部１６１、及び、基礎代謝量測定に対応付けられた「３」が記された機能表示部１６１が点灯する。
【００４５】
被測定者は、ステップＳ２における処理で体組成計１０によって提示された測定可能な体組成データの種類を参照し、操作部１２０による操作で、実際に測定を行いたい項目（所望の体組成データの種類）を選択する。ＣＰＵ１２６は、被測定者によって選択された体組成データの種類を、実際に測定を行う項目として設定する（ステップＳ３）。
【００４６】
ここで、被測定者は体組成計１０の載置部１０２上に載り、通電用電極１０４ａ及び計測用電極１０４ｃに被測定者の左足が載置され、且つ、通電用電極１０４ｂ及び計測用電極１０４ｄに被測定者の右足が載置される。この状態において、ＣＰＵ１２６は、重量センサ部１１２によって被測定者の体重Ｗを測定し（ステップＳ４）、電圧測定回路１１０によって生体インピーダンスＺを測定する（ステップＳ５）。重量センサ部１１２によって測定した体重Ｗ、及び電圧測定回路１１０によって測定した生体インピーダンスＺは、ＣＰＵ１２６に送信された後に記憶部１２２のＲＡＭ１２２ａに一時的に記憶される。すなわち、ＣＰＵ１２６と重量センサ部１２２と電圧測定回路１１０とは、被測定者の生体インピーダンスを測定する測定部として機能する。
【００４７】
続いて、ＣＰＵ１２６は、機能追加装置３０１から演算プログラムを読み出す（ステップＳ６）。換言すれば、ＣＰＵ１２６は、特定の種類の体組成を示す体組成データの算出に要する第１情報（本例では演算プログラム）が少なくとも一つ記録された記録媒体（本例では機能追加装置３０１）を一または複数用いて、一または複数種類の体組成データを算出する体組成計において、前記一または複数の記録媒体の各々から一または複数の前記第1情報を取得する情報取得部として機能する。
具体的には、本例では機能追加装置３０１−１から「体脂肪率」を算出する演算プログラムを読み出し、機能追加装置３０１−２から「除脂肪量」を算出する演算プログラムを読み出し、機能追加装置３０１−３から「基礎代謝量」を算出する演算プログラムを読み出す。
【００４８】
そして、ＣＰＵ１２６は、ステップＳ６において読み出した演算プログラムを実行することによって、身体特性情報と生体インピーダンスＺとから体組成データを算出する（ステップＳ７）。換言すれば、前記情報取得部によって取得した一または複数の前記第１情報（本例では演算プログラム）と、前記第２情報（本例では身体特性情報）と、前記生体インピーダンスとに基づいて、当該一または複数の前記第１情報の各々に対応する種類の体組成を示す体組成データを算出する演算部として機能する。以下、ステップＳ７における処理を具体的に説明する。
【００４９】
〈体脂肪率測定〉
ＣＰＵ１２６は、機能追加装置３０１−１から読み出した体脂肪率％Ｆatを求める為の演算プログラムを実行する。これにより、下記演算式（式１）の計算が実行され、体脂肪率が算出（推定）される。
％Ｆat＝ｆ１・Ｚ・Ｗ／Ｈ２−ｆ２……（式１）
但し、ｆ１及びｆ２は係数であり、重回帰分析により適宜定められる値である。また、Ｚは被測定者の生体インピーダンス、Ｗは被測定者の体重、Ｈは被測定者の身長である。ここで、体重Ｗ及び身長Ｈは、上述した身体特性情報に相当する。
【００５０】
〈除脂肪量測定〉
ＣＰＵ１２６は、機能追加装置３０１−２から読み出した除脂肪量ＦＦＭを求める為の演算プログラムを実行する。これにより、下記演算式（式２）の計算が実行され、除脂肪量が算出（推定）される。
ＦＦＭ＝Ｗ−Ｗ・％Ｆat／１００……（式２）
但し、％Ｆatは（式１）によって算出された値である。
【００５１】
〈基礎代謝量測定〉
ＣＰＵ１２６は、機能追加装置３０１−３から読み出した基礎代謝量ＢＭＲを求める為の演算プログラムを実行する。これにより、下記演算式（式３）の計算が実行され、除脂肪量が算出（推定）される。
基礎代謝量ＢＭＲ＝ｐ１・ＦＦＭ２＋ｐ２・ＦＦＭ＋ｐ３・（１／Ａｇｅ）＋ｐ４……（式３）
但し、係数ｐ１〜ｐ４は重回帰分析により適宜定められる値であり、Ａｇｅは被測定者の年齢であり、％Ｆatは（式１）によって算出された値であり、ＦＦＭは（式２）によって算出された値である。
【００５２】
ステップＳ７における体組成データの算出が終了すると、ＣＰＵ１２６は、当該体組成データを記憶部１２２のＲＡＭ１２２ａに記憶させる（ステップＳ８）と共に、表示部２０２に表示させ（ステップＳ９）、当該体組成測定処理を終了する。本例では、ステップＳ９において体脂肪率％Ｆat、除脂肪量ＦＦＭ、及び基礎代謝量ＢＭＲの値が表示部２０２に表示される。なお、ステップＳ７において算出した体組成データのみならず、ステップＳ４において測定した体重についても、体組成データと共にステップＳ９において表示部２０２に表示させてもよい。
【００５３】
以上説明したように、本発明の第１実施形態によれば、各ユーザのニーズに応じて測定機能をカスタマイズ可能な体組成計及び体組成計測システムを提供することができる。
すなわち、ユーザは、所望の体組成データの測定に係る機能追加装置３０１を購入し、それをプラットフォームたる体組成計１０に接続するだけで、自身にとって必要最小限の機能のみの体組成計１０を構成することができる。従って、ユーザ及びメーカの双方にとってコストパフォーマンスが高い体組成計１０が実現する。また、体組成計１０の購入後に、新たに測定機能を拡張させる必要が生じた場合に、容易に測定機能の拡張をすることができる。
さらに、体組成計１０は最小限の測定機能しか備えていないプラットフォームである為、シンプル且つ意匠性に富んだプラットフォームとして体組成計１０を構成することができる。
また、体組成計１０の販売時点では想定されていなかった体組成データや、技術の進歩によって新たに測定可能になった体組成データについての測定機能を、既にユーザが購入済みの体組成計１０に対して容易に追加することが可能となる。
【００５４】
ところで、体組成計は一般家庭において用いられることも多い。体組成計が一般家庭において用いられる場合には、当該体組成計は、それぞれの被測定者ごとに体重データ及び体組成データを記録して管理する。そのような体組成計に、本発明の第１実施形態に係る体組成計１０及び体組成計測システム１を適用することで、例えば次のような格別な効果を得ることができる。すなわち、一般家庭の各構成員（例えば、父、母、子供達、及び祖父母等）のそれぞれが測定を所望する種類の体組成データの測定機能を漏れなく体組成計１０に備えさせることができる。
さらに、本発明の第１実施形態に係る体組成計１０及び体組成計測システム１によれば、例えば成長した子供が本格的にスポーツに取り組むようになり特定部位の筋肉量の測定を所望するようになった場合であっても、つまり子供の成長に伴って新たに別種の体組成データの測定機能が必要となった場合であっても、そのような特殊な体組成データの測定機能を備える体組成計を新たに購入する必要はなく、機能追加装置３０１のみの追加購入でそのような特殊な体組成データを測定することが可能となる。
このように、本発明の第１実施形態に係る体組成計１０は、当該体組成計１０を利用する複数のユーザ（被測定者）がそれぞれ異なる測定機能を所望したり、当該体組成計１０の購入後に新たな測定機能を所望したりするような場合には、非常に有用である。
なお、上記の実施形態では、体組成計１０の本体に体重を測定する機能を持たせ、機能追加装置を用いて、「体脂肪率」、「除脂肪量」、「基礎代謝量」を算出する機能を追加する例を示したが、追加できる機能はこれらに限られるものではない。また、例えば、体組成計１０の本体に体重を測定する機能と体脂肪率を算出する機能を持たせ、機能追加装置を用いて、「除脂肪量」、「基礎代謝量」を算出する機能を追加する等、体組成計１０の本体側に持たせる機能と機能追加装置を用いて追加できる機能の組合せは任意である。
【００５５】
《変形例》
以下、本発明の第１実施形態の変形例に係る体組成計及び体組成計測システムについて説明する。説明の重複を避ける為、第１実施形態に係る体組成計及び体組成計測システムとの相違点について説明する。第１実施形態の変形例に係る体組成計及び体組成計測システムは、主に次の点が第１実施形態に係る体組成計及び体組成計測システムとは異なる。
すなわち、第１実施形態に係る体組成計１０では、機能追加装置３０１がインターフェース１９１に接続された状態においてのみ、体組成計１０は、当該機能追加装置３０１に記録された演算プログラムを実行して体組成データを算出することができる。一方、本変形例に係る体組成計１０では、機能追加装置３０１がインターフェース１９１に接続されると、体組成計１０のＣＰＵ１２６は、機能追加装置３０１に記録された演算プログラムを読み出し、当該演算プログラムを記憶部１２２に記憶させる。
つまり、本変形例に係る体組成計１０は、機能追加装置３０１がインターフェース１９１に接続されると、当該機能追加装置３０１に記録された演算プログラムを記憶部１２２にダウンロードする。すなわち、本変形例に係る体組成計１０においては、記憶部１２２は機能追加装置３０１から取得した一または複数の制限解除キーを記憶する記憶部として機能する。
【００５６】
ところで、第１実施形態と同様、各機能追加装置３０１には、演算プログラムと共に当該演算プログラムによって測定可能となる「体組成データの種類を示す情報」も、当該演算プログラムに対応付けられて記録されている。ＣＰＵ１２６は、機能追加装置３０１から演算プログラムを取得して記憶部１２２に記憶させる際に、機能追加装置３０１から「体組成データの種類を示す情報」も取得して記憶部１２２に記憶させる。
【００５７】
図３に示すフローチャートの処理における第１実施形態との相違点は、ステップＳ２及びステップＳ６の処理である。まず、ステップＳ２においてＣＰＵ１２６は、記憶部１２２に記憶された「体組成データの種類を示す情報」が示す体組成データの種類に係る機能表示部１６１を点灯させる。ユーザは、この機能表示部１６１の表示を視認することにより、現時点でインターフェース１９１に機能追加装置３０１を接続させずに測定可能な体組成データの種類を容易に知ることができる。
また、ステップＳ６においては、第１実施形態では機能追加装置３０１から演算プログラムを読み出すが、本変形例では記憶部１２２から演算プログラムを読み出す。すなわち、本変形例においては、ＣＰＵ１２６は、ステップＳ３において設定した体組成データの種類を示す「体組成データの種類を示す情報」に対応付けられた演算プログラムを記憶部１２２から読み出す。
【００５８】
なお、機能追加装置３０１に記録された演算プログラムが、不正に複数の体組成計１０へダウンロードされてしまうことを防ぐ為に、複数回のダウンロードを禁止する処理やダウンロード後には当該演算プログラムが消去される処理等を、予め当該演算プログラムに施してもよい。また、機能追加装置３０１から特定台数の体組成計１０へ演算プログラムのダウンロードを許可する場合には、当該演算プログラムに特定回数を超える回数のダウンロードを禁止する処理を施せばよい。
【００５９】
以上説明したように、本発明の第１実施形態の変形例によれば、第１実施形態に係る体組成計及び体組成計測システムと同様の効果を奏する上に、次の効果を奏する体組成計及び体組成計測システムを提供することができる。
すなわち、本変形例に係る体組成計及び体組成計測システムによれば、機能追加装置３０１がインターフェース１９１に接続されると、機能追加装置３０１に記録された演算プログラムが、体組成計１０のＣＰＵ１２６によって読み出されて記憶部１２２に記憶される。換言すれば、機能追加装置３０１がインターフェース１９１に接続されると、当該機能追加装置３０１に記録された演算プログラムが体組成計１０にダウンロードされる。
従って、既に体組成計１０への演算プログラムのダウンロードが完了した機能追加装置３０１については、その後、体組成データの測定のたびに当該機能追加装置３０１をインターフェース１９１に接続させる手間を省くことができる。また、体組成データの測定時における体組成計１０の外観構成が簡略化される。
【００６０】
［第２実施形態］
以下、本発明の第２実施形態に係る体組成計及び体組成計測システムについて説明する。説明の重複を避ける為、第１実施形態に係る体組成計及び体組成計測システムとの相違点について説明する。第２実施形態に係る体組成計及び体組成計測システムは、主に次の点が第１実施形態に係る体組成計及び体組成計測システムとは異なる。
すなわち、上述した第１実施形態に係る体組成計１０では、体組成データを算出する為の演算プログラムを体組成計１０には備えさせず、機能追加装置３０１に備えさせる構成を採っている。しかしながら、体組成計１０と機能追加装置３０１とが協働することで体組成データを算出する構成であればよく、上述の構成に限られるものではない。
そこで、本発明の第２実施形態では、体組成データを測定する為の複数の演算プログラムを、それぞれ実行に制限を掛けて予め当該体組成計１０の記憶部１２２（例えばＲＯＭ１２２ｂ）に記憶させる。それら実行に制限が掛けられた演算プログラムは、「特定の演算プログラムを指定して実行の制限の解除を指示する制限解除キー」によって、実行の制限が解除されて実行可能となる演算プログラムである。ここで、制限解除キーは、機能追加装置３０１に記録されている。なお、本例では、１つの演算プログラムに対して１つの制限解除キーが対応しているとものとする。
【００６１】
さらに、機能追加装置３０１には制限解除キーと共に、当該制限解除キーによって測定可能となる「体組成データの種類を示す情報」も、当該制限解除キーに対応付けられて記録されている。そして、体組成計１０が「体組成計測モード」に設定されると、ＣＰＵ１２６は機能追加装置３０１に記録された「体組成データの種類を示す情報」が示す体組成データの種類に係る機能表示部１６１を点灯させる。ユーザは、この機能表示部１６１の表示を視認することにより、現時点でインターフェース１９１に機能追加装置３０１を接続させずに測定可能な体組成データの種類を容易に知ることができる。
【００６２】
以下、本発明の第２実施形態に係る体組成計１０による体組成データの測定処理の一例について説明する。図４は、本発明の第２実施形態に係る体組成計１０による体組成データの測定処理のフローチャートを示す図である。
なお、図４に示すフローチャートにおけるステップＳ１１乃至ステップＳ１５は、図３を参照して説明したステップＳ１乃至ステップＳ５と同様の処理を行うステップである。従って、説明の重複を避ける為、ステップＳ１６以降の処理について説明する。
【００６３】
ステップＳ１５において電圧測定回路１１０による生体インピーダンスＺの測定を完了すると、ＣＰＵ１２６は、機能追加装置３０１から、特定の演算プログラムを指定して実行の制限の解除を指示する制限解除キーを読み出す（ステップＳ１６）。
具体的には、本例では機能追加装置３０１−１から「体脂肪率」を算出する演算プログラムの制限の解除を指示する制限解除キーを読み出し、機能追加装置３０１−２から「除脂肪量」を算出する演算プログラムの制限の解除を指示する制限解除キーを読み出し、機能追加装置３０１−３から「基礎代謝量」を算出する演算プログラムの制限の解除を指示する制限解除キーを読み出す。
【００６４】
そして、ＣＰＵ１２６は、ステップＳ１６において読み出した制限解除キーによって制限の解除を指示された演算プログラムを記憶部１２２から読み出して実行の制限を解除し、身体特性情報及び生体インピーダンスＺを用いて当該演算プログラムを実行することによって、体組成データを算出する（ステップＳ１７）。なお、このステップＳ１７において演算プログラムを実行することによって行われる具体的な算出処理は、図３に示すフローチャートのステップＳ７における算出処理と同様の処理である。
【００６５】
ステップＳ１７における体組成データの算出が終了すると、ＣＰＵ１２６は、当該体組成データを記憶部１２２のＲＡＭ１２２Ａに記憶させる（ステップＳ１８）と共に、表示部２０２に表示させ（ステップＳ１９）、当該体組成データの測定処理を終了する。なお、ステップＳ１７において算出した体組成データのみならず、ステップＳ１４において測定した体重についても、体組成データと共にステップＳ１９において表示部２０２に表示させてもよい。
【００６６】
なお、ＲＯＭ１２２ｂに記憶させる演算プログラムを、制限解除キーが入力されるとその実行制限を解除する施錠・解錠処理を組み込んだ演算プログラムとしてもよい。このように構成する場合、特定の演算プログラムに係る開錠処理に用いられる制限解除キーを、機能追加装置３０１に記録すればよい。
以上説明したように、本発明の第２実施形態によれば、第１実施形態に係る体組成計１０及び体組成計測システム１と同様の効果を奏する上に、次のような効果を奏する体組成計１０及び体組成計測システム１を提供することができる。
すなわち、機能追加装置３０１には制限解除キーが記録されるので、演算プログラムを記録する場合と比較して機能追加装置３０１の記録容量を削減することができる。また、機能追加装置３０１から体組成計１０へは制限解除キーが送信されるが、演算プログラムは送信されない。仮に演算プログラムを送信するとした場合、その送信の際に当該演算プログラムが傍受されると、当該演算プログラムが解析されたり、あるいは演算プログラムを不正な装置に転用されたりするおそれがある。しかしながら、第２実施形態では制限解除キーが送信されるだけなので、演算プログラムを送信することに起因して生じ得る当該演算プログラムの不正入手等を防止することができる。
【００６７】
《変形例》
以下、本発明の第２実施形態の変形例に係る体組成計及び体組成計測システムについて説明する。説明の重複を避ける為、第２実施形態に係る体組成計及び体組成計測システムとの相違点について説明する。第２実施形態の変形例に係る体組成計及び体組成計測システムは、主に次の点が第２実施形態に係る体組成計及び体組成計測システムとは異なる。
すなわち、第２実施形態に係る体組成計１０では、機能追加装置３０１がインターフェース１９１に接続された状態においてのみ、体組成計１０は、当該機能追加装置３０１に記録された制限解除キーを利用して記憶部１２２に記憶された演算プログラムの実行の制限を解除することができる。
一方、本変形例に係る体組成計１０では、機能追加装置３０１がインターフェース１９１に接続されると、体組成計１０のＣＰＵ１２６は、機能追加装置３０１に記録された制限解除キーを読み出し、当該制限解除キーを記憶部１２２に記憶させる。
【００６８】
つまり、本変形例に係る体組成計１０は、機能追加装置３０１がインターフェース１９１に接続されると、当該機能追加装置３０１に記録された制限解除キーを記憶部１２２にダウンロードする。すなわち、本変形例に係る体組成計１０においては、記憶部１２２は機能追加装置３０１から取得された一または複数の制限解除キーを記憶する記憶部として機能する。
ところで、第２実施形態と同様、各機能追加装置３０１には、制限解除キーと共に当該制限解除キーによって測定可能となる「体組成データの種類を示す情報」も、当該制限解除キーと対応付けられて記録されている。ＣＰＵ１２６は、機能追加装置３０１から制限解除キーを取得して記憶部１２２に記憶させる際に、機能追加装置３０１から「体組成データの種類を示す情報」も取得して記憶部１２２に記憶させる。
【００６９】
図４に示すフローチャートの処理における第２実施形態との相違点は、ステップＳ１２及びステップＳ１６の処理である。まず、ステップＳ１２においてＣＰＵ１２６は、記憶部１２２に記憶された「体組成データの種類を示す情報」が示す体組成データの種類に係る機能表示部１６１を点灯させる。ユーザは、この機能表示部１６１の表示を視認することにより、現時点でインターフェース１９１に機能追加装置３０１を接続させずに測定可能な体組成データの種類を容易に知ることができる。
また、ステップＳ１６においては、上述した第２実施形態では機能追加装置３０１から制限解除キーを読み出すが、本変形例では記憶部１２２から制限解除キーを読み出す。すなわち、本変形例においては、体組成計１０のＣＰＵ１２６は、ステップＳ１６において記憶部１２２に記憶されている一又は複数の制限解除キーを記憶部１２２から読み出す。
【００７０】
なお、機能追加装置３０１に記録された制限解除キーが不正に複数の体組成計１０へダウンロードされてしまうことを防ぐ為に、複数回のダウンロードを禁止する処理やダウンロード後には当該制限解除キーが消去される処理等を、予め当該制限解除キーに施してもよい。また、機能追加装置３０１から特定台数の体組成計１０へ制限解除キーのダウンロードを許可する場合には、当該制限解除キーに特定回数を超える回数のダウンロードを禁止する処理を施せばよい。
【００７１】
以上説明したように、本発明の第２実施形態の変形例によれば、第２実施形態に係る体組成計及び体組成計測システムと同様の効果を奏する上に、次の効果を奏する体組成計及び体組成計測システムを提供することができる。
すなわち、本変形例に係る体組成計及び体組成計測システムによれば、機能追加装置３０１がインターフェース１９１に接続されると、当該機能追加装置３０１に記録された制限解除キーが体組成計１０にダウンロードされる。従って、既に体組成計１０への制限解除キーのダウンロードが完了している機能追加装置３０１については、その後、体組成データの測定のたびに当該機能追加装置３０１をインターフェース１９１に接続させる手間を省くことができる。また、体組成データの測定時における体組成計１０の外観構成が簡略化される。
【００７２】
なお、本変形例は、次のように更に変形することができる。すなわち、機能追加装置３０１から取得した制限解除キーを記憶部１２２に記憶させる代わりに、当該制限解除キーを機能追加装置３０１から取得した時点で、当該制限解除キーが制限の解除を指示する演算プログラムに対して、制限を解除することを示す識別子を付してもよい。これにより、実際に体組成データを算出する際に、ＣＰＵ１２６が実行の制限を解除する対象の演算プログラムを特定することが可能となる為、制限解除キーを記憶部１２２に記憶させる必要がなくなる。この場合、図４に示すフローチャートにおけるステップＳ１６の処理は不要となる。
具体的には、ＣＰＵ１２６は、機能追加装置３０１から制限解除キーを取得すると、当該制限解除キーが指定する演算プログラムを記憶部１２２から読み出し、制限を解除することを示す識別子を当該演算プログラムに対応づけて記憶部１２２に記憶させる。そして、ＣＰ１２６は、ステップＳ１７において、身体特性情報及び生体インピーダンスを用いて、前記識別子が対応付けられた特定の演算プログラムを実行することによって、体組成データを算出する。
【００７３】
［第３実施形態］
以下、本発明の第３実施形態に係る体組成計及び体組成計測システムについて説明する。説明の重複を避ける為、第１実施形態に係る体組成計及び体組成計測システムとの相違点について説明する。第３実施形態に係る体組成計及び体組成計測システムは、主に次の点について第１実施形態に係る体組成計及び体組成計測システムとは異なる。
すなわち、第１実施形態においては、体組成計１０にインターフェース１９１を設け、このインターフェース１９１によって機能追加装置３０１を直接的に当該体組成計１０に接続する構成としている。一方、第３実施形態に係る体組成計測システム１は、体組成計１０と、機能追加装置３０１と、機能追加装置３０１が接続され且つ機能追加装置３０１に記録された演算プログラムを体組成計１０に送信する情報送信装置４００（詳細は図５，図６を参照して後述）と、を備える。
そして、本実施形態においては、無線または有線による通信を可能とする通信部（不図示）を体組成計１０に設け、この通信部によって、情報送信装置４００から送信された演算プログラムを受信する。このように構成することで、体組成計１０に対して機能追加装置３０１を接続させる必要がなくなる。従って、体組成計１０の外観構成及びシステム構成をより簡略化することができる。
体組成計１０に設ける通信部としては、例えば情報送信装置４００との間で無線通信を可能とする通信モジュールを挙げることができる。具体的には、例えばＢｌｕｅｔｏｏｔｈ（登録商標）規格に従った近距離無線通信により当該体組成計１０と情報送信装置４００とを接続する通信モジュール、及び、無線ＬＡＮ(Local Area Network)により当該体組成計１０と情報送信装置４００とをＷｉ−Ｆｉ（登録商標）接続する通信モジュール等を挙げることができる。
【００７４】
ところで、第１実施形態と同様、各機能追加装置３０１には演算プログラムと共に、当該演算プログラムによって測定可能となる「体組成データの種類を示す情報」も、当該演算プログラムに対応付けられて記録されている。従って、演算プログラムと共に前記体組成データの種類を示す情報も、送信装置４００から体組成計１０に送信される。
ＣＰＵ１２６は、情報送信装置４００から送信された演算プログラム及び「体組成データの種類を示す情報」を通信部によって受信すると、当該「体組成データの種類を示す情報」が示す体組成データの種類に係る機能表示部１６１を点灯させる。これにより、情報送信装置４００が体組成計１０から離れた場所に位置している場合であっても、被測定者は、機能表示部１６１を視認するだけで当該体組成計１０に追加可能な機能と、現時点で実際に追加されている機能とを容易に知ることができる。
【００７５】
以下、機能追加装置３０１に記録されている情報を、体組成計１０に送信する為の情報送信装置４００について説明する。図５は、本発明の第３実施形態に係る体組成計１０に対して機能追加装置３０１に記録された情報を送信する為の情報送信装置４００の外観構成を示す斜視図である。図６は、本発明の第３実施形態に係る体組成計１０に対して機能追加装置３０１に記録された情報を送信する為の情報送信装置４００のシステム構成例を示すブロック図である。
【００７６】
情報送信装置４００は、少なくとも１つ以上の機能追加装置３０１を接続する為のインターフェース４０３と、インターフェース４０３に機能追加装置３０１が接続されると点灯する照明部材である状態表示部４０５と、体組成計１０の通信部と通信する為の通信部４０７と、例えばＲＡＭ等の記憶部４１１と、当該情報送信装置４００の各部を統括的に制御するＣＰＵ４１３と、を備える。通信部４０７としては、例えば図５に示す例では体組成計１０の通信部（不図示）と有線によって通信する為の通信部４０７−１、及び体組成計１０の通信部と無線によって通信する通信部４０７−２を挙げることができる。
【００７７】
すなわち、第３実施形態に係る体組成計測システム１においては、機能追加装置３０１は、当該機能追加装置３０１を通信可能に接続する複数の接続端子（本例ではインターフェース４０３）と、前記接続端子に接続された機能追加装置３０１から演算プログラムを取得して無線または有線によって演算プログラムを送信する情報送信部（本例では通信部４０７）とを備える情報送信装置４００に接続される。体組成計１０は、この情報送信装置４００によって送信された演算プログラムを受信する情報受信部を備える。
機能追加装置３０１が情報送信装置４００のインターフェース４０３に接続されると、ＣＰＵ４１３は、当該機能追加装置３０１に記録されている演算プログラム等を、通信部４０７によって体組成計１０へ送信する。また、ユーザは、状態表示部４０５の点灯／消灯を視認することで、機能追加装置３０１が確実に情報送信装置４００に対して接続されたか否かを確認することができる。
【００７８】
以上説明したように、本発明の第３実施形態によれば、第１実施形態に係る体組成計及び体組成計測システムと同様の効果を奏する上に、外観構成及びシステム構成の更なる簡略化並びに小型化が実現した体組成計１０及び体組成計測システム１を提供することができる。
なお、説明の便宜上、第１実施形態に係る体組成計１０及び体組成計測システム１に対して第３実施形態を適用した例を説明したが、第１実施形態の変形例、第２実施形態、及び第２実施形態の変形例に係る体組成計１０及び体組成計測システム１に対して第３実施形態を適用しても勿論よい。
【００７９】
［第４実施形態］
以下、本発明の第４実施形態に係る体組成計及び体組成計測システムについて説明する。説明の重複を避ける為、第１実施形態に係る体組成計及び体組成計測システムとの相違点について説明する。第４実施形態に係る体組成計及び体組成計測システムは、主に次の点について第１実施形態に係る体組成計及び体組成計測システムとは異なる。
すなわち、第４実施形態に係る体組成計１０は、被測定者の活動量を示す活動量データを生成する活動量計（不図示）と連携し、体組成データと活動量データとを当該体組成計１０によって一元管理する。また、体組成計１０によって算出された最新の体組成データを、活動量計による活動量データの算出に用いることで、活動量データの算出精度を向上させる。「活動量データ」としては例えば「歩数」、「消費エネルギー」、「活動強度」、及び「エクササイズ」等を挙げることができる。
【００８０】
本実施形態に係る体組成計１０は、活動量計との間で無線通信を可能とする通信モジュールを備える。通信モジュールとしては、例えばＢｌｕｅｔｏｏｔｈ（登録商標）規格に従った近距離無線通信により当該体組成計１０と活動量計とを接続する通信モジュール、及び、無線ＬＡＮ(Local Area Network)により当該体組成計１０と活動量計とをＷｉ−Ｆｉ（登録商標）接続する通信モジュール等を挙げることができる。これらの通信モジュールは、当該体組成計１０と活動量計との間でデータの送受信を行う通信部として機能する。ここで、活動量計も、体組成計１０が備える通信モジュールと同様の通信モジュールを備える。
なお、活動量計が、体組成計１０のインターフェース１９１に直接接続可能な端子を備えていれば、当該インターフェース１９１を用いて体組成計１０と活動量計とを直接的に接続させても良い。
【００８１】
体組成計１０と活動量計とを上述したように構成することで、当該体組成計１０によって算出された体重データ及び／または種々の体組成データを、活動量計に送信することが可能となる。体組成計１０から活動量計に体重データ及び／または種々の体組成データを送信するタイミングとしては、例えば当該体組成計１０と活動量計とが通信可能に接続されたタイミングを挙げることができる。
また、例えば当該体組成計１０と活動量計とが通信可能に接続された後に、ユーザによる当該体組成計１０または活動量計における所定の操作に応じて、当該体組成計１０から活動量計に体重データ及び／または種々の体組成データを活動量計に送信するように構成してもよい。
【００８２】
上述した処理によって体組成計１０から活動量計に、体重データ及び／または体組成データが送信されると、活動量計は、当該体重データ及び／または体組成データを受信し、それによって被測定者に係る体重データ及び／または体組成データの記録を更新する。そして、当該活動量計は、該更新した体重データ及び／または体組成データを用いて、被測定者の活動量データを算出する。これにより、当該活動量計によって算出される活動量データの精度が向上する。
【００８３】
さらに、当該活動量計は、上述した処理によって算出した活動量データを体組成計１０に送信する。この送信のタイミングとしては、例えば当該活動量計と体組成計１０とが通信可能に接続されたタイミングを挙げることができる。また、例えば当該活動量計と体組成計１０とが通信可能に接続された後の、ユーザによる当該活動量計または体組成計１０における所定の操作に応じて、当該活動量計から体組成計１０に活動量データを送信するように構成してもよい。
【００８４】
このようにして活動量計から体組成計１０に送信された活動量データは、体組成計１０によって受信されて記憶部１２２に記憶される。従って、体組成計１０によって、体重データ及び／または体組成データと活動量データとを一元的に管理することが可能となる。
具体的には、例えば、体組成計１０のＣＰＵ１２６は、体重データ及び／または体組成データと活動量データとを同一の時間軸を用いて対比可能にグラフ化し、表示部２０２に表示させる。これにより、各々の被測定者は、表示部２０２に表示されたグラフを視認するのみで、自身の活動量に応じて変化していく体重及び体組成を時系列的に一目瞭然で認識することが可能となる。
【００８５】
なお、このような「体重データ及び／または体組成データと活動量データとを関連付けてグラフ化する機能」を始めとする、体重データ及び／または体組成データと活動量データとを一元管理する為の種々の機能を実行するプログラムを、機能追加装置３０１に記録してもよい。
これにより、当該体組成計１０の購入後であっても、被測定者が所望する「体重データ及び／または体組成データと活動量データとを一元管理する種々の機能」を当該体組成計１０に追加することが可能となる。
【００８６】
なお、本実施形態では説明の便宜上、体組成計１０と連携する計測機器として活動量計を例に挙げているが、体組成計１０と連携する計測機器が活動量計に限られないことは言うまでもない。例えば、睡眠計や歩数計等と当該体組成計１０とを連携させ、それら計測機器が収集したデータと当該体組成計１０によって収集されたデータとを一元管理してもよい。
【００８７】
以上説明したように、本発明の第４実施形態によれば、第１実施形態に係る体組成計及び体組成計測システムと同様の効果を奏する上に、被測定者に係る体重データ及び体組成データと、他の計測機器によって収集されたデータとが一元的に管理される体組成計及び体組成計測システムを提供することができる。
具体的には、例えば体重データ及び体組成データと、他の計測機器によって収集された種々のデータとを関連付けて被測定者に提示することができる。これにより、被測定者は、表示部２０２に表示された上述のグラフ等を視認するのみで、体重データ及び体組成データと種々のデータとが時系列的に変化していく様を容易に把握することができ、各々のデータ同士の相関関係を容易に認識することができる。
【００８８】
さらに、他の計測機器によって算出されるデータには、当該体組成計１０によって算出された最新の体重データ及び体組成データが反映される為、当該データの精度の向上も実現する。
なお、第４実施形態は、上述した第１実施形態乃至第３実施形態及び各変形例のいずれに対しても適用することができることは勿論である。
以上、第１実施形態乃至第４実施形態及び各変形例に基づいて本発明を説明したが、本発明は上述の例に限定されるものではなく、本発明の要旨の範囲内で変形及び応用が可能なことは勿論である。以下、応用例について説明する。なお、説明の重複を避ける為、第１実施形態乃至第４実施形態及び各変形例との相違点のみを説明する。
【００８９】
［第１応用例］
上述した機能追加装置３０１を用いる代わりに、例えばスマートフォンと称される通信端末装置を用いることができる。換言すれば、通信端末装置が備える記録部を機能追加装置３０１として利用することができる。つまり、第１応用例に係る体組成計１０は、演算プログラムまたは制限解除キーを、例えばスマートフォンと称される通信端末装置から取得する。以下、本応用例に係る体組成計１０及び体組成計測システム１の構成を説明する。
【００９０】
体組成計１０には、通信端末装置との間で無線通信または有線通信を可能とする通信モジュールを備えさせる。無線通信の通信モジュールとしては、例えばＢｌｕｅｔｏｏｔｈ（登録商標）規格に従った近距離無線通信により当該体組成計１０と通信端末装置とを接続する通信モジュール、及び、無線ＬＡＮ(Local Area Network)により当該体組成計１０と通信端末装置とをＷｉ−Ｆｉ（登録商標）接続する通信モジュール等を挙げることができる。
そして、通信端末装置においては、演算プログラムまたは制限解除キーを、例えばアプリと略称されているアプリケーションソフトウェアとしてダウンロードし、それを体組成計１０に送信する。体組成計１０は、通信端末装置によって送信された演算プログラムまたは制限解除キーを、通信モジュールによって受信して取得する。
このように構成することで、ユーザは、所望の測定機能に係る演算プログラムまたは制限解除キーを、スマートフォンと称される通信端末装置でダウンロードし、それを体組成計１０に送信操作するだけで、当該体組成計１０に所望の測定機能を追加することができる。つまり、体組成計１０は、スマートフォンと称される通信端末装置から、演算プログラムまたは制限解除キーを受信して取得することができる。
【００９１】
以上説明したように、第１応用例によれば、各実施形態に係る体組成計１０及び体組成計測システム１と同様の効果を奏する上に、スマートフォンと称される通信端末装置を用いて測定機能を追加することが可能な体組成計１０及び体組成計測システム１を提供することができる。すなわち、第１応用例に係る体組成計１０及び体組成計測システム１によれば、ユーザがスマートフォンと称される通信端末装置で演算プログラムまたは制限解除キーをダウンロードし、それを当該スマートフォンから体組成計１０に転送することによって、体組成計１０に測定機能を追加することが可能となる。
従って、第１応用例に係る体組成計１０及び体組成計測システム１によれば、ユーザは、機能追加装置３０１が販売されている店舗等に出向くことなく、例えば自宅等で容易に所望の測定機能に係る演算プログラムまたは制限解除キーを取得し、体組成計１０に当該測定機能を追加することが可能となる。
【００９２】
［第２応用例］
上述した例では体組成計１０に測定機能を追加しているが、測定機能以外の機能（例えばゲーム機能や音楽再生機能等）を体組成計１０に追加してもよい。そのように構成する場合、体組成データを算出する演算プログラムの代わりに、種々の機能を実現するプログラムを体組成計１０に追加すればよい。さらには、当該体組成計１０を歩数計や睡眠計と連携させ、そられ他の計測装置と共に被測定者の健康管理をするように体組成計１０を構成してもよい。このように構成する場合、当該体組成計１０と歩数計や睡眠計とを連携させる処理を実行するプログラムを、当該体組成計１０に追加する。
以上説明したように、第２応用例によれば、各実施形態に係る体組成計１０及び体組成計測システム１と同様の効果を奏する上に、測定機能以外の種々の機能を追加することが可能な体組成計１０及び体組成計測システム１を提供することができる。
【００９３】
［第３応用例］
上述した例では、体組成計測モードにおける計測結果である体組成データの値を、ステップＳ９またはステップＳ１９において表示部２０２に表示させているが、計測結果を表示させる部材は体組成計１０の表示部２０２に限られない。例えば当該体組成計１０にスマートフォンと称される通信端末装置との通信機能を備えさせ、当該体組成計１０から通信端末装置に体組成データを送信し、当該スマートフォンにおいて計測結果たる体組成データを表示させてもよい。また、体組成計１０の操作部１２０、状態表示部１５１あるいは機能表示部１６１に相当する機能を、当該スマートフォン側に持たせてもよい。
なお、第３実施形態に係る体組成計測システム１においては、情報送信装置４００に、例えばＬＣＤ等の表示部を備えさせ、且つ、体組成計１０から情報送信装置４００に計測結果を送信することで、情報送信装置４００で計測結果の表示及び閲覧を行なうことが可能となる。
以上説明したように、第３応用例によれば、各実施形態に係る体組成計１０及び体組成計測システム１と同様の効果を奏する上に、計測結果の閲覧に関してユーザの利便性を向上させた体組成計１０及び体組成計測システム１を提供することができる。また、体組成計１０本体に設けられていた各種機能を情報送信装置４００にも割り当てることにより、体組成計１０本体を極めてシンプルで意匠性に富んだ構成とすることも可能となる。
【００９４】
さらに、上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【００９５】
１…体組成計測システム、１０…体組成計、１０２…載置部、１０４…電極部、１０４ａ，１０４ｂ…通電用電極、１０４ｃ，１０４ｄ…計測用電極、１０８…高周波定電流回路、１１０…電圧測定回路、１１２…重量センサ部、１１４…増幅回路、１１６…切替部、１１８…変換回路、１２０…操作部、１２２…記憶部、１５１…状態表示部、１６１…機能表示部、１９１…インターフェース、２０２…表示部、３０１,３０１−１，３０１−２，３０１−３…機能追加装置、４００…情報送信装置、４０３…インターフェース、４０５…状態表示部、４０７,４０７−１,４０７−２…通信部、４１１…記憶部。
【要約】      （修正有）【課題】各ユーザのニーズに応じて測定機能をカスタマイズ可能な体組成計及び体組成計測システムを提供する。【解決手段】特定の種類の体組成を示す体組成データの算出に要する第１情報が少なくとも一つ記録された機能追加装置301を一または複数用いて、一または複数種類の体組成データを算出する体組成計10に、次の処理を行うCPU126を備えさせる。すなわち、CPU126は、被測定者の身体特性を示す第２情報を設定する。CPU126は、電圧測定回路110によって、被測定者の生体インピーダンスを測定する。CPU126は、一または複数の記録媒体の各々から一または複数の第1情報を取得し、取得した一または複数の第１情報と、第２情報と、生体インピーダンスとに基づいて、当該一または複数の第１情報の各々に対応する種類の体組成を示す体組成データを算出する。【選択図】図２【図１】
0005557072.tif 000002
【図２】
0005557072.tif 000003
【図３】
0005557072.tif 000004
【図４】
0005557072.tif 000005
【図５】
0005557072.tif 000006
【図６】
0005557072.tif 000007